(57)【要約】【課題】帯電ローラーに対して清掃部材を精度よく位置決めし、また清掃部材が滑らかに往復移動することで、帯電ローラーに付着した汚れを均一に除去する帯電装置及びそれを備えた画像形成装置を提供する。【解決手段】帯電装置４は、感光体５を帯電させる帯電ローラー７１と、帯電ローラー７１の外周面に接触して帯電ローラー７１をクリーニングする清掃部材８１と、帯電ローラー７１の回転軸７４を回転可能に支持するとともに、清掃部材８１の回転軸８３を回転可能に支持し且つ回転軸８３の方向に往復移動可能に支持する第１及び第２支持部材９２、９４と、を備える。清掃部材８１の回転軸８３の一端部には軸方向と直交する方向から所定角度傾斜したカム面７５ａを有するカム部材７５が設けられ、第２支持部材９４にはカム面７５ａに摺動可能に係合するガイド部材８４が設けられる。【選択図】図４
2012225964.tif 000002
【特許請求の範囲】
【請求項１】
像担持体を帯電させる帯電ローラーと、
該帯電ローラーの外周面に接触して前記帯電ローラーをクリーニングする清掃部材と、
前記帯電ローラーの回転軸を回転可能に支持するとともに、前記清掃部材の回転軸を回転可能に支持し且つ回転軸方向に往復移動可能に支持する一対の支持部材と、を備え、
前記清掃部材の回転軸の一端部には軸方向と直交する方向から所定角度傾斜したカム面を有するカム部材が設けられ、前記支持部材の一方には前記カム面に摺動可能に係合するガイド部材が設けられていることを特徴とする帯電装置。
【請求項２】
前記ガイド部材は、前記支持部材に対して前記帯電ローラーの軸方向と直交する方向に移動可能に設けられることを特徴とする請求項１に記載の帯電装置。
【請求項３】
前記支持部材は、前記帯電ローラーの軸方向と直交する方向に平行に延びる平行凸部を有し、前記ガイド部材は、前記平行凸部に係合する溝部を有することを特徴とする請求項２に記載の帯電装置。
【請求項４】
前記カム部材は前記清掃部材の回転軸の径方向に環状に突出して形成され、前記ガイド部材は前記カム部材の表裏面に形成された一対のカム面を軸方向の両側から挟み込む一対の突起を有することを特徴とする請求項１〜請求項３のいずれかに記載の帯電装置。
【請求項５】
請求項１〜請求項４のいずれかに記載の帯電装置を備えた画像形成装置。
【発明の詳細な説明】
【技術分野】
【０００１】
本発明は、複写機、プリンター、ファクシミリ、それらの複合機等の画像形成装置に用いる帯電装置及びそれを備えた画像形成装置に関し、特に、帯電ローラーを清掃する機構を有する帯電装置及びそれを備えた画像形成装置に関するものである。
【背景技術】
【０００２】
従来、画像形成装置には、像担持体である感光体の表面を帯電させるために帯電装置が用いられている。帯電装置としては、感光体とコロナワイヤーを非接触に配置し、コロナ放電により感光体の表面を帯電させるコロナ帯電方式と、帯電ローラー等の帯電部材を用いて感光体の表面に接触させる接触帯電方式とが知られている。しかし、近年、人体に有害なオゾンの排出量を減らすため、オゾン排出量がより少ない接触帯電方式が採用されることが多くなっている。
【０００３】
このような接触帯電方式において帯電ローラーを感光体の表面に接触させる場合、感光体の表面にトナーの成分や用紙の紙粉等の異物が付着し、その異物が帯電ローラーの外周面に移動することがある。帯電ローラーの外周面に異物が付着すると、感光体の表面に帯電不良を発生させるので、印刷の画質に大きな影響を与える原因となる。このような帯電ローラーへの異物の付着を防止するため、従来から、スポンジ等の清掃部材を帯電ローラーの外周面に押圧して、帯電ローラーに付着した異物による汚れを拭き取るようにしていた。
【０００４】
ところが、スポンジ等の清掃部材を帯電ローラーの外周面に押圧するだけでは、帯電ローラーに部分的に拭き残しが発生し、また、帯電ローラーの回転にともなって帯電ローラーの外周面に筋状の汚れが発生し、これらに起因する帯電不良によって印刷画質に影響を与えるという問題があった。
【０００５】
そこで、清掃部材を帯電ローラーの外周面に接触させるとともに清掃部材を帯電ローラーの軸方向に往復移動させることによって、帯電ローラー外周面の拭き残しや筋状の汚れ等を除去するものが知られている。
【０００６】
例えば、特許文献１に記載の帯電装置は、帯電ローラーを回転可能に支持するとともに清掃部材を回転可能、且つ軸方向に往復移動可能に支持する支持部材を備える。支持部材は、帯電ローラーを収容しているハウジング部材の内側に感光体に向けて弾性付勢され支持される。また、清掃部材には、軸方向と直交する方向から所定角度傾斜した円板状のカム部材が設けられる。さらに、ハウジング部材の内側には、軸方向に移動しないように支持されたガイド部材が設けられ、ガイド部材は、カム部材を両側から挟み込む一対の突起を有する。従って、清掃部材が回転すると、ガイド部材によってカム部材が案内されて、カム部材を設けた清掃部材がカム部材の傾斜に応じて軸方向に沿って往復移動する。清掃部材の往復移動によって帯電ローラーの外周面が清掃される。
【先行技術文献】
【特許文献】
【０００７】
【特許文献１】特開２００８−８９６３６号公報（段落［００２１］、［００２２］、［００３３］〜［００３５］、第９図）
【発明の概要】
【発明が解決しようとする課題】
【０００８】
しかしながら、上述した特許文献１に記載の定着装置は、カム部材がガイド部材に案内され、清掃部材がカム部材の傾斜に応じて軸方向に沿って往復移動するが、ガイド部材がハウジング部材に設けられる構成である。ハウジング部材が帯電ローラーに対して傾斜すると、或いはハウジング部材の捩れや撓みでハウジング部材が変形すると、ハウジング部材とともにガイド部材が所定の位置から外れることになる。ガイド部材の位置が変化すると、ガイド部材とカム部材との係合する位置が正規の位置と異なり、帯電ローラーの外周面に対して清掃部材の位置が不安定になるために、帯電ローラーの外周面が清掃されなくおそれがある。また、ガイド部材とカム部材との係合する位置がずれると、清掃部材が滑らかに往復移動し難くなるという不都合があった。
【０００９】
本発明は、上記のような課題を解決するためになされたものであり、帯電ローラーに対して清掃部材を精度よく位置決めし、また清掃部材が滑らかに往復移動することで、帯電ローラーに付着した汚れを均一に除去する帯電装置及びそれを備えた画像形成装置を提供することを目的とする。
【課題を解決するための手段】
【００１０】
上記目的を達成するために第１の発明の帯電装置は、像担持体を帯電させる帯電ローラーと、該帯電ローラーの外周面に接触して前記帯電ローラーをクリーニングする清掃部材と、前記帯電ローラーの回転軸を回転可能に支持するとともに、前記清掃部材の回転軸を回転可能に支持し且つ回転軸方向に往復移動可能に支持する一対の支持部材と、を備え、前記清掃部材の回転軸の一端部には軸方向と直交する方向から所定角度傾斜したカム面を有するカム部材が設けられ、前記支持部材の一方には前記カム面に摺動可能に係合するガイド部材が設けられていることを特徴としている。
【００１１】
また、第２の発明では、上記の帯電装置において、前記ガイド部材は、前記支持部材に対して前記帯電ローラーの軸方向と直交する方向に移動可能に設けられることを特徴としている。
【００１２】
また、第３の発明では、上記の帯電装置において、前記支持部材は、前記帯電ローラーの軸方向と直交する方向に平行に延びる平行凸部を有し、前記ガイド部材は、前記平行凸部に係合する溝部を有することを特徴としている。
【００１３】
また、第４の発明では、上記の帯電装置において、前記カム部材は前記清掃部材の回転軸の径方向に環状に突出して形成され、前記ガイド部材は前記カム部材の表裏面に形成された一対のカム面を軸方向の両側から挟み込む一対の突起を有することを特徴としている。
【００１４】
また、第５の発明では、上記の構成の帯電装置を備えた画像形成装置である。
【発明の効果】
【００１５】
第１の発明によれば、清掃部材が回転駆動すると、清掃部材に設けたカム部材が回転する。カム部材は、支持部材に設けたガイド部材に係合することによって、カム部材のカム面の傾斜角に応じて軸方向に往復移動する。従って、カム部材は帯電ローラーに対して往復移動するとともに回転する。カム部材が清掃部材に設けられ、カム部材に係合するガイド部材が支持部材に設けられるので、ガイド部材とカム部材との係合する位置がずれることがなく、さらに、支持部材が帯電ローラーを支持する構成であるために、清掃部材は帯電ローラーに対して精度よく位置決めされ、また、清掃部材が滑らかに往復移動する。これによって、帯電ローラーの外周面に付着した汚れを均一に除去することができる。
【図面の簡単な説明】
【００１６】
【図１】本発明の実施形態に係る画像形成装置の全体構成を示す図
【図２】実施形態に係る帯電装置を示す斜視図
【図３】実施形態に係る帯電装置の清掃部材の回転駆動機構を示す平面図
【図４】実施形態に係る帯電装置の清掃部材の往復駆動機構を示す斜視図
【図５】実施形態に係る帯電装置の清掃部材の往復駆動機構を示す平面図
【発明を実施するための形態】
【００１７】
以下に本発明の実施形態について図面を参照して説明するが、本発明は、この実施形態に限定されない。また発明の用途やここで示す用語等はこれに限定されるものではない。
【００１８】
図１は、胴内排紙方式の画像形成装置の全体構成を示す図である。画像形成装置１００の下部には、カセットタイプの用紙給紙部１０が配設されている。用紙給紙部１０は上下２段の給紙カセット１０ａ、１０ｂを有し、給紙カセット１０ａ、１０ｂには印刷前の用紙が積載して収容されている。給紙カセット１０ａ、１０ｂに収容された用紙は、選択された給紙カセット１０ａ（１０ｂ）から用紙ピックアップローラー１０ｄ（１０ｅ）により１枚ずつ繰り出され、繰り出された用紙は用紙搬送路１１へと送り出される。
【００１９】
画像形成装置１００の右側面には、手差しトレー１０ｃが配設されている。手差しトレー１０ｃは、給紙カセット１０ａ、１０ｂと異なるサイズの用紙が載置可能である。手差しトレー１０ｃに載置された用紙は用紙搬送路１１へと送り出される。
【００２０】
用紙搬送路１１は用紙給紙部１０の左方に配置されている。用紙給紙部１０から送り出された用紙が、用紙搬送路１１上方のレジストローラー１２に搬送される。レジストローラー１２は、用紙にトナー像を転写するタイミングと同期をとって、画像形成部３に向けて用紙を送り出す。
【００２１】
画像形成装置１００の上部には原稿読取装置６が配設され、原稿読取装置６の上面には、プラテン（原稿押さえ）２４が開閉可能に設けられ、さらに、プラテン２４上には原稿搬送装置２７が付設されている。原稿のコピーを行う場合、原稿搬送装置２７に載置された原稿が１枚ずつ分離されて原稿読取部に送り出され、原稿読取装置６によって原稿の画像データが読み取られる。
【００２２】
画像形成装置１００の略中央部には、画像形成部３が配設されている。画像形成部３は、像担持体である感光体５を備え、さらに感光体５の周辺にその回転方向（図中のＡ方向）に沿って順に、帯電装置４と、露光ユニット７と、現像部８と、転写ローラー１３、及びクリーニング部１８を備える。現像部８へのトナーの供給はトナーコンテナ９から行われる。クリーニング部１８は、ブレードやブラシ或いは研磨ローラー等のクリーニング部材を有し、クリーニング部材によって感光体５の表面に残留するトナーを剥ぎ取り、回収する。
【００２３】
感光体５の表面が帯電装置４によって所定の極性および電位で一様に帯電されると、 露光ユニット７は、原稿読取装置６によって読み取られた原稿の画像データに基づいて、感光体５上に原稿画像の静電潜像を形成する。
【００２４】
現像部８は、帯電したトナーを感光体５の表面に供給し、感光体５上の静電潜像を現像してトナー像を形成する。トナー像は転写ローラー１３によって用紙上に転写される。トナー像が転写された用紙は、定着部１４へと搬送される。用紙にトナー像が転写された後、感光体５の表面に残留するトナーがクリーニング部１８によってクリーニングされて回収され、さらに図示しない除電装置によって感光体５の表面の残留電荷が除去される。
【００２５】
定着部１４は、熱源を内蔵する定着ローラー１４ａと加圧ローラー１４ｂとを有し、トナー像を転写された用紙を定着ローラー１４ａ及び加圧ローラー１４ｂによって加圧加熱し、用紙上のトナー像を溶融定着させる。トナー像が定着された用紙は、排出ローラー２０ａによって胴内排紙部１７ａに排出される。
【００２６】
トナー像が定着された用紙は、必要に応じて、経路切り替えガイド２１によって搬送方向を切り替えられ、排出ローラー２０ｂによってスタックトレー１７ｂ上に排出される。また、両面印刷を行う場合には、胴内排紙部１７ａに排出させる途中において、用紙の後端が切り替えガイド２１を通過したタイミングで排出ローラー２０ａを逆回転させて、経路切り替えガイド２１、２２を用紙搬送路１６側に切り替える。これによって、用紙は、用紙搬送路１６を通って、用紙搬送路１１からレジストローラー１２に搬送される。その後、画像形成部３で用紙の裏面にもトナー像が転写されると、用紙は定着部１４によって再度定着され排出される。
【００２７】
上述の画像形成装置１００に用いられる帯電装置４は、図２〜図５に示すように構成される。図２は帯電装置とその周辺を示す斜視図であり、図３は帯電装置に用いられる帯電ローラー及び清掃部材の回転駆動機構を示す平面図である。図４は清掃部材の往復駆動機構を示す斜視図であり、図５は清掃部材の往復駆動機構を示す平面図である。
【００２８】
図２に示すように、帯電装置４は、帯電ローラー７１と、清掃部材８１と、回転駆動機構９７（図３参照）、及び往復駆動機構９８（図４、図５参照）を備える。回転駆動機構９７及び往復駆動機構９８はフレーム９１に取り付けられる。
【００２９】
フレーム９１は、コ字状に形成され、その両端側にドラム支持部９１ｃが夫々設けられ、一方のドラム支持部９１ｃの上側には回転駆動収納部９１ａが設けられ、他方のドラム支持部９１ｃの上側には往復駆動収納部９１ｂが設けられる。回転駆動収納部９１ａと往復駆動収納部９１ｂは、回転駆動収納部９１ａ及び往復駆動収納部９１ｂから夫々延出するリブ９１ｄによって繋がって一体に設けられる。
【００３０】
ドラム支持部９１ｃは感光体５の両端部に設けた支軸を回転可能に支持する。回転駆動収納部９１ａは、帯電ローラー７１と清掃部材８１を回転駆動させる回転駆動機構９７（図３参照）を収納し、往復駆動収納部９１ｂは、清掃部材８１と軸方向に往復移動させる往復駆動機構９８（図４、図５参照）を収納する。
【００３１】
帯電ローラー７１は、金属製の芯金の周面にゴム等の弾性層を形成した導電性ゴムローラからなり、感光体５に所定のニップ圧で圧接されており、感光体５に従動回転する。また、帯電ローラー７１の軸方向の両端部には、導電性を有する回転軸７４（図３、図４参照）が設けられ、画像形成時、帯電ローラー７１には一方の回転軸７４を介して帯電バイアスが印加され、感光体５の表面を帯電させる。
【００３２】
清掃部材８１は、帯電ローラー７１に付着しているトナーや用紙の紙粉等を除去するものであり、導電性のナイロン等の樹脂でブラシ状に形成され、帯電ローラー７１の回転軸７４に対して平行に軸方向に延び帯電ローラー７１の上方でその表面に接触している。また、清掃部材８１は帯電ローラー７１の軸方向に往復移動可能に支持される。尚、清掃部材８１はゴムや樹脂のスポンジ状のローラーであってもよい。
【００３３】
図３に示すように、回転駆動機構９７は、帯電ローラー７１から突出する一方の回転軸７４に対して回転可能に設けられるアイドルギア７６と、清掃部材８１から突出する一方の回転軸８３に固設される清掃部材ギア７７と、第１支持部材９２と、圧縮コイルバネからなるバネ部材９３と、を有する。
【００３４】
アイドルギア７６は、感光体５の支軸３８に固設されるドラムギア３９に噛合し、ドラムギア３９の回転によりアイドルギア７６を介して清掃部材ギア７７が回転する。また、感光体５の回転により帯電ローラー７１は従動回転するが、清掃部材８１と帯電ローラー７１は線速差をもって回転する。
【００３５】
第１支持部材９２は、導電性を有する合成樹脂で形成され、フレーム９１に帯電ローラー７１の軸方向（図３の紙面の表裏方向）及び図３の左右方向には位置決めされて支持される一方、帯電ローラー７１の軸方向と直交する方向（図３の上下方向）に移動可能に支持される。また、第１支持部材９２は、帯電ローラー７１の回転軸７４を嵌装する軸受け孔９２ｂと、清掃部材８１の回転軸８３を嵌装する軸受け孔９２ａとを有し、第２支持部材９４（図４参照）とともに、軸受け孔９２ｂによって帯電ローラー７１の回転軸７４を回転可能に支持し、また、軸受け孔９２ａによって清掃部材８１の回転軸８３を回転可能且つ軸方向に往復移動可能に支持する。
【００３６】
バネ部材９３は、第１支持部材９２の上部に当接するとともにフレーム９１に当接して、第１支持部材９２及び回転軸７４を介して帯電ローラー７１を感光体５側に付勢する。また、バネ部材９３は、金属線材でコイル状に形成され、図示しない装置本体の電源から給電され、第１支持部材９２、回転軸７４を介して帯電ローラー７１に所定の電圧を印加することが可能である。
【００３７】
図４に示すように、往復駆動機構９８は、第２支持部材９４と、カム部材７５と、カム部材７５とともに清掃部材８１を軸方向に往復移動させるガイド部材８４と、圧縮コイルバネからなるバネ部材９５と、を有する。
【００３８】
第２支持部材９４は、帯電ローラー７１の回転軸７４を嵌装する軸受け孔９４ｂと、清掃部材８１の回転軸８３を嵌装する軸受け孔９４ａとを有する。軸受け孔９４ａ、９４ｂは、互いに所定の距離だけ離間している。また、第１支持部材９２（図３参照）の軸受け孔９２ａ、９２ｂも互いに所定の距離だけ離間していることで、清掃部材８１の外周面が帯電ローラー７１の外周面に常に均一に圧接する。さらに、第２支持部材９４は、第１支持部材９２（図３参照）とともに、軸受け孔９４ｂによって帯電ローラー７１を回転可能に支持し、また、軸受け孔９４ａによって清掃部材８１を回転可能且つ軸方向に往復移動可能に支持する。
【００３９】
バネ部材９５は、第２支持部材９４の上部に当接するとともにフレーム９１（図２参照）に当接して、第２支持部材９４及び回転軸７４を介して帯電ローラー７１を感光体５（図２参照）側に付勢する。
【００４０】
また、第２支持部材９４は、取り付け部９４ｄと平行凸部９４ｃとを有する。
【００４１】
取り付け部９４ｄは、フレーム９１（図２参照）に帯電ローラー７１の軸方向及び図５の紙面の表裏方向には位置決めされて支持されるが、帯電ローラー７１の軸方向と直交する方向（図５の上下方向）に移動可能に支持される。
【００４２】
バネ部材９５が第２支持部材９４を感光体５（図２参照）側に付勢するとともに、バネ部材９３（図３参照）が第１支持部材９２を感光体５（図２参照）側に付勢することによって、第１及び第２支持部材９２、９４に支持される帯電ローラー７１は、感光体５の表面に所定のニップ圧で常に圧接されている。
【００４３】
平行凸部９４ｃは、帯電ローラー７１の軸方向と直交する方向（上下方向）に平行に延び、ガイド部材８４を上下方向に摺動可能に支持する。
【００４４】
ガイド部材８４は、第２支持部材９４の平行凸部９４ｃに係合する溝部８４ｃと、カム部材７５に係合する一対の突起８４ｂとを有する。
【００４５】
カム部材７５は、第２支持部材９４に隣接して配置されるように清掃部材８１の回転軸８３の端部側に固着して設けられる。また、カム部材７５は、回転軸８３の径方向に環状に突出して形成され、突出した部分には、清掃部材８１の軸方向と直交する方向から軸方向に所定角度だけ傾斜した一対のカム面７５ａが形成される（図５も参照）。
【００４６】
図５に示すように、一対のカム面７５ａには、ガイド部材８４の一対の突起８４ｂが係合する。一対の突起８４ｂの間隔は両カム面７５ａの軸方向の幅よりも僅かに広く、一対の突起８４ｂは両カム面７５ａを軸方向の両側から挟み込むように係合する。両カム面７５ａは、清掃部材８１の軸方向と直交する方向に対する傾斜角が一定となる直線状に形成される。清掃部材８１が回転軸８３の回りに１８０度回転すると、カム面７５ａの直線状のカム形状に従って軸方向の一方端に移動し、さらに１８０度回転すると、軸方向の他方端に移動し、清掃部材８１の１回転によって軸方向に１往復移動することになる。また、カム面７５ａの傾斜角を大きくすると、清掃部材８１は比較的速く軸方向に移動し、逆に、カム面７５ａの傾斜角を小さくすると、清掃部材８１は比較的遅く軸方向に移動するので、清掃部材８１を低速、或いは高速で移動させるようにすることができる。このように、帯電ローラー７１と清掃部材８１との回転にともなう線速差や、帯電ローラー７１の外周面に付着する汚れの程度等に応じて、適宜、カム面７５ａの形状を設定することができる。
【００４７】
カム部材７５のカム面７５ａは、清掃部材８１の軸方向と直交する方向に対して所定の角度で傾斜しているために、カム部材７５の回転力によって、カム面７５ａに係合するガイド部材８４の一対の突起８４ｂには、清掃部材８１の軸方向と直交する方向（上下方向）に負荷が作用する。この負荷による力がガイド部材８４に上方向または下方向に作用する。例えば、負荷による力が上方向に作用すると、ガイド部材８４の溝部８４ｃ（図４参照）が第２支持部材９４の平行凸部９４ｃ係合する構成であることによって、ガイド部材８４は、前記負荷による力に応じて上方向に移動する。一方、負荷による力が下方向に作用すると、ガイド部材８４の溝部８４ｃが第２支持部材９４の平行凸部９４ｃに係合する構成であることによって、ガイド部材８４は、前記負荷による力に応じて下方向に移動する。ガイド部材８４は第２支持部材９４に対して分離した構成であり、ガイド部材８４が上方向または下方向に移動しても、第２支持部材９４は上下方向に移動することはない。従って、第１及び第２支持部材９２、９４によって支持される帯電ローラー７１は、感光体５（図２参照）の表面から離間することがなく、また、感光体５の表面を余分な力で押圧することがなく、軸方向に常に均一に圧接して感光体５の表面を良好に帯電させることができる。
【００４８】
尚、カム部材７５のカム面７５ａが小さい傾斜角にて構成される場合には、カム部材７５の回転力によって、前記負荷による力が一対の突起８４ｂを上下方向に移動させる程度に作用しないのであれば、ガイド部材８４を第２支持部材９４に一体に設ける構成、つまり、一対の突起８４ｂは第２支持部材９４に形成してもよい。
【００４９】
上記実施形態によれば、感光体５が回転駆動すると、ドラムギア３９、アイドルギア７６、清掃部材ギア７７の夫々の噛み合わせによって、清掃部材８１が回転する。さらに、清掃部材８１の回転にともない、往復駆動機構９８（図４、図５参照）のカム部材７５が回転し、カム部材７５のカム面７５ａとガイド部材８４の突起８４ｂとの係合によって、カム部材７５が軸方向に移動することで、清掃部材８１は、帯電ローラー７１に接触しながら軸方向に往復移動するとともに帯電ローラー７１に対して線速差を有して回転する。
【００５０】
また、上記実施形態によれば、カム部材７５が清掃部材８１に設けられ、カム部材７５に係合するガイド部材８４が第２支持部材９４に設けられ、さらに、第２支持部材９４が第１支持部材９２とともに帯電ローラー７１を支持する。
【００５１】
この構成によれば、ガイド部材８４は、ハウジング部材等の別部材を介在させることなく、第２支持部材９４に設けられているので、ガイド部材８４とカム部材７５との係合する位置がずれることがなく、清掃部材８１は帯電ローラー７１に対して精度よく位置決めされ、また、清掃部材８１が滑らかに往復移動する。これによって、帯電ローラー７１の外周面に付着した汚れを均一に除去することができる。
【００５２】
また、上記実施形態によれば、ガイド部材８４の一対の突起８４ｂがカム部材７５のカム面７５ａを軸方向の両側から挟み込む構成であるので、カム部材７５は滑らかに回転するとともに軸方向に移動し、これにともない清掃部材８１は滑らかに回転及び往復移動する。
【００５３】
尚、上記実施形態では、カム部材７５は全周に亘って突出して形成され、ガイド部材８４はカム部材７５を軸方向の両側から挟み込む一対の突起８４ｂを有する構成を示したが、本発明はこれに限らず、カム部材７５は所定の形状の溝にて形成し、ガイド部材８４は前記溝に摺動可能に係合する凸部等のカムフォロアーを有する構成にしてもよい。この場合も上記実施形態と同様の効果を奏する。
【００５４】
また、上記実施形態では、ガイド部材８４を第２支持部材９４に対して上下方向に摺動可能とするために、第２支持部材９４が平行凸部９４ｃを有し、ガイド部材８４が溝部８４ｃを有する構成を示したが、本発明はこれに限らず、第２支持部材９４は上下方向に平行に延びる溝部を有し、ガイド部材８４は前記溝部に摺動可能に係合する凸部を有する構成にしてもよい。この場合も上記実施形態と同様の効果を奏する。
【産業上の利用可能性】
【００５５】
本発明は、複写機、プリンター、ファクシミリ、それらの複合機等の画像形成装置に用いる帯電装置及びそれを備えた画像形成装置に利用することができ、特に、帯電ローラーを清掃する機構を有する帯電装置及びそれを備えた画像形成装置に利用することができる。
【符号の説明】
【００５６】
４    帯電装置
５    感光体（像担持体）
３８    支軸
３９    ドラムギア
７１    帯電ローラー
７４    回転軸
７５    カム部材
７５ａ    カム面
７６    アイドルギア
７７    清掃部材ギア
８１    清掃部材
８３    回転軸
８４    ガイド部材
８４ｂ    突起
８４ｃ    溝部
９１    フレーム
９１ａ    回転駆動収納部
９１ｂ    往復駆動収納部
９１ｃ    ドラム支持部
９２    第１支持部材
９２ａ、９２ｂ    軸受け孔
９３、９５    バネ部材
９４    第２支持部材
９４ａ、９４ｂ    軸受け孔
９４ｃ    平行凸部
９４ｄ    取り付け部
９７    回転駆動機構
９８    往復駆動機構
１００    画像形成装置
【図１】
2012225964.tif 000003
【図３】
2012225964.tif 000004
【図２】
2012225964.tif 000005
【図４】
2012225964.tif 000006
【図５】
2012225964.tif 000007